(57)【要約】      （修正有）【課題】収納する機器の形状にかかわらず簡単に収納ができ、配線処理やコネクター接続、さらにはメンテナンスを容易に行うことができる電子機器用の機器収納ボックスを提供する。【解決手段】上部の扉１と正面の扉２と４面体の収納ボックス３から構成され、丁番機構４を用いて上部の扉と正面扉を各々収納ボックスの開口部へ接合し、扉同士を錠前機構５で施錠固定させる電子機器用の機器収納ボックスである。【選択図】図１
0003223102.tif 000002
【実用新案登録請求の範囲】
【請求項１】
上部の扉と正面の扉と収納ボックスからなり、各々の扉を収納ボックスの開口面に丁番機構を用いて接合し、該上部の扉と該正面の扉を錠前機構を用いて施錠し箱体形状とした機器収納ボックス。
【考案の詳細な説明】
【技術分野】
【０００１】  本考案は、ディスプレイに接続して使用するセットトップボックス等の電子機器を収納する為の機器収納ボックスに関する。
【背景技術】
【０００２】  従来、情報メディアサービスの情報提供会社等からの信号をディスプレイに接続して使用するセットトップボックス等は、ディスプレイスタンドや天吊りハンガー等に機器収納ボックスを付設固定させ、その中に入れ込んで使用する形態が用いられている。【０００３】  例えば、非特許文献１では、天吊りハンガーの背面側に機器収納ボックスを取付け固定し、上部の開口より機器を入れ込み、状況によってはパネルカバーを取り外して配線処理やメンテナンスを行う形態が用いられている。【０００４】  又、非特許文献２では、床設置式のスタンドの支柱に施錠扉付のボックスを取付け固定し、機器を入れ込み鍵で施錠する形態がとられている。
【先行技術文献】
【非特許文献】
【０００５】
【非特許文献１】「オーロラ総合カタログＶｏｌ．４８」株式会社共栄商事、２０１８年７月、Ｐ．３２
【非特許文献２】「オーロラ総合カタログＶｏｌ．４８」株式会社共栄商事、２０１８年７月、Ｐ．６１
【考案の概要】
【考案が解決しようとする課題】
【０００６】  しかしながら、上述した２つの非特許文献では、機器収納ボックスの開口部が一方向の為、使用する機器の仕様によっては機器が入れづらい場合があり、接続コネクターや配線処理、さらにはメンテナンス等に手間がかかる。これを、解消する為、パネルをボルトで着脱式にして開口する方法も用いられているが、ボルトの取り外しの手間がかかり好ましくない。【０００７】  そこで本考案は、上記内容を勘案し、収納する機器の形状にかかわらず簡単に収納させる事ができ、しかも、配線処理やコネクター接続、さらにはメンテナンスを容易に行うことができる機器収納ボックスを提供する事である。
【課題を解決するための手段】
【０００８】  前記目的を達成する為に本考案による機器収納ボックスは、上部の扉と正面の扉と４面体からなる収納ボックスから構成され、上部の扉と正面の扉を各々収納ボックスの開口部へ丁番機構で接続固定し、扉同士を錠前で施錠結合させて箱体形状とした構造をもつ機器収納ボックスである。
【考案の効果】
【０００９】  本考案の効果として、収納ボックス自体の開口が、上部の扉と正面の扉の２方向に開口させる事ができる為、機器をスムーズに入れ込む事ができる。さらに機器への配線やコネクター接続、メンテナンスも容易に行うことができる。さらに、２つの扉同士を錠前で施錠できるので、セキュリティーの面でも安全である。
【図面の簡単な説明】
【００１０】
【図１】本考案の機器収納ボックスの斜視構造図である。
【図２】本考案の機器収納ボックスを床置き式のスタンドに縦方向に取付け固定した場合の斜視図である。
【図３】本考案の機器収納ボックスを床置き式のスタンドに横方向に取付け固定した場合の斜視図である。
【図４】本考案の機器収納ボックスを天吊りハンガーに取付け固定した場合の斜視図である。
【考案を実施するための形態】
【実施例】
【００１１】  本考案の実施例を図に基づいて説明する。図１は、本考案の機器収納ボックスの斜視構造図であり、上部の扉１と正面扉２と４面体からなる収納ボックス３から構成され、上部の扉１と正面扉２を各々収納ボックス３の開口部へ丁番機構４で固定し、扉同士を錠前機構５で施錠結合させて箱体形状とした構造を示している。この時、上部の扉１と正面扉２で２方向に開口させる事ができる為、機器をスムーズに入れ込む事が可能であり、又機器の配線やコネクター接続、メンテナンスを容易に行うことができる。【００１２】  上部の扉１と正面扉２には、デザイン性を兼ねて、収納する機器の熱対策用のパンチング穴６を施し、丁番機構４を用いて収納ボックス３と合結し、錠前機構５を用いて扉同士を施錠させる事ができるようにする。この事により６面が囲われた箱体となる為、機器を収納してもセキュリティー面で盗難に対して安心である。【００１３】  収納ボックス３の両側面には、前記同様、収納する機器の熱対策用のスリット状の長穴７を施し、収納部背面側には複数の通線孔９と収納する機器を押さえる固定ベルト穴８を設け、床置き式のスタンドや天吊りハンガーとの固定用のボルト穴１０を複数設ける。これにより、様々な製品との取付固定が可能となり、又、収納する機器を縦方向に入れても固定用ベルトで押さえることができ、収納ボックスに何らかの振動等があっても固定されている為、安全である。【００１４】  図２は、本考案の機器収納ボックスを床置き式のスタンド２１に縦方向に取付け固定した場合の斜視図であり、上部方向だけでなく正面方向にも扉が開口する為、収納する機器を入れ込むのが容易であり、メンテナンス等を行う時も開口空間が広い為、簡単に行う事ができる。さらに、収納した機器を固定用ベルトで押さえる事ができるので、スタンドを移動で動かしても収納ボックス３内で機器が跳ねたり動いたりする事がなく安全である。【００１５】  図３は、本考案の機器収納ボックスを床置き式のスタンド２１に横方向に取付け固定した場合の斜視図であり、収納する機器が横置きに限定される場合も前記同様、各々の扉を２方向に開口させる事ができる為、機器をスムーズに入れ込んだり、メンテナンスを行ったりする事が可能であり便利である。又、収納した機器を固定用ベルトで押さえる事ができるので、スタンドを移動で動かしても収納ボックス３内で機器が跳ねたり動いたりする事がなく安全である。【００１６】図４は、本考案の機器収納ボックスを天吊りハンガー２２に取付け固定した場合の斜視図であり、高所でカバーパネル等の取付け、取外し作業を行う事なく、又天井ボード２３と収納ボックス３との兼ね合いで上部の扉１から機器を収納ボックス３内に入れ込むスペースがとれない場合でも、鍵の解錠のみで正面扉２から入れ込む事ができる為、便利である。又、収納した機器を固定用ベルトで押さえる事ができるので、地震等で揺れても収納ボックス３内で機器が跳ねたり動いたりする事がなく安全である。
【産業上の利用可能性】
【００１７】  本考案の機器収納ボックスは、ディスプレイに関連する電子機器用として提案されているが、２方向に開口する扉の方式を採用すれば様々な収納庫等に利用する事が可能である。
【符号の説明】
【００１８】１．  上部の扉
２．  正面の扉
３．  収納ボックス
４．  丁番機構
５．  錠前機構
６．  パンチング穴
７．  長穴
８．  固定ベルト穴
９．  通線孔
１０．ボルト穴
２１．床置き式のスタンド
２２．天吊りハンガー
２３．天井ボード
Ａ．  ディスプレイ
【図１】
0003223102.tif 000003
【図２】
0003223102.tif 000004
【図３】
0003223102.tif 000005
【図４】
0003223102.tif 000006